(57)【特許請求の範囲】
【請求項１】
複数のセル列からなる表示面を有し、各セル列においてセルが等間隔に並びかつセルの発色が同一であり、かつ同一発色のセル列の集合における隣り合うセル列どうしの間で列方向のセル位置がセル配列ピッチの１／２ずれたセル配列構成の表示デバイスを用い、
隣り合う同一発色のセル列どうしにおける、前記列方向と直交する表示ラインを構成するセルの組み合わせをフィールド毎に入れ換えて、インタレース表示を行い、
表示対象である入力画像の画素配列に相当するセル配列をもつ仮想表示面と前記表示面とのセル位置関係に応じて、前記入力画像の各画素の輝度値を当該画素に対応したセルに分配することにより、前記表示面の各セルの輝度を決定する
ことを特徴とする画像表示方法。
【請求項２】
複数のセル列からなる表示面を有し、各セル列においてセルが等間隔に並びかつセルの発色が同一であり、かつ同一発色のセル列の集合における隣り合うセル列どうしの間で列方向のセル位置がセル配列ピッチの１／２ずれたセル配列構成の表示デバイスと、
隣り合う同一発色のセル列どうしにおける、前記列方向と直交する表示ラインを構成するセルの組み合わせをフィールド毎に入れ換えて、インタレース表示を行うための駆動回路とを備え、
前記駆動回路は、表示対象である入力画像の画素配列に相当するセル配列をもつ仮想表示面と前記表示面とのセル位置関係に応じて、前記入力画像の各画素の輝度値を当該画素に対応したセルに分配することにより、前記表示面の各セルの輝度を決定する
ことを特徴とする表示装置。
【請求項３】
前記表示面内の全てのセルの発色が同一である
請求項２記載の表示装置。
【請求項４】
前記表示面は発色の異なる３種のセル列からなり、その色配列は３色が一定順序で繰り返し並ぶパターンである
請求項２記載の表示装置。
【請求項５】
表示対象としてインタレース画像が入力され、前記表示ラインの方向は当該インタレース画像の走査線方向である
請求項２記載の表示装置。
【請求項６】
表示対象としてノンインタレース画像が入力され、当該ノンインタレース画像をインタレース画像に変換して表示する
請求項２記載の表示装置。
【請求項７】
ノンインタレース画像データからインタレース画像の各画素の階調データを生成する
請求項６記載の表示装置。
【請求項８】
前記表示デバイスはプラズマディスプレイパネルである
請求項２記載の表示装置。
【請求項９】
前記表示デバイスは、放電空間をセル列毎に区画する隔壁を有し、各セル列において放電空間が表示面の全長にわたって連続し、かつ広大部と狭窄部とが交互に並ぶようにセルどうしの境界位置で狭まった内部構造をもつプラズマディスプレイパネルである
請求項２記載の表示装置。
【請求項１０】
前記表示デバイスは、全てのセル列に跨がるように配置され、各フィールドにおいて各セル列中の１個のセルを選択する複数のスキャン電極を有する
請求項９記載の表示装置。
【発明の詳細な説明】
【０００１】
【発明の属する技術分野】
本発明は、画像表示方法および表示装置に関し、特にＰＤＰ（Plasma Display Panel）を用いる表示に好適である。
【０００２】
大画面のテレビジョン表示デバイスとして面放電形式のＡＣ型ＰＤＰが商品化されている。ここでいう面放電形式は、輝度を確保する表示放電において陽極および陰極となる第１および第２の表示電極を、前面側又は背面側の基板の上に平行に配列する形式である。
【０００３】
面放電型ＰＤＰの電極マトリクス構造として、表示電極対と交差するようにアドレス電極を配列した“３電極構造”が広く知られている。表示に際しては、表示電極対の一方（第２の表示電極）を表示ライン選択のためのスキャン電極として用い、スキャン電極とアドレス電極との間でアドレス放電を生じさせることによって、表示内容に応じて壁電荷を制御するアドレッシングが行われる。アドレッシングの後、表示電極対に交番極性の点灯維持電圧を印加すると、所定の壁電荷の存在するセルのみで基板面に沿った面放電が生じる。
【０００４】
面放電型ＰＤＰでは、放電空間を列毎に区画する隔壁（バリアリブ）が必要である。隔壁構造としては、平面視帯状の隔壁を配列するストライプ構造（ストライプパターン層とメッシュパターン層とが重なった構造を含む）が、個々のセルを分断するメッシュ（ワッフル）構造よりも有利である。ストライプ構造であれば、各列において放電空間が画面の全長にわたって連続するので、プライミングによる放電確率の増大、蛍光体層の均等配置の容易化、および排気処理の時間短縮を図ることができる。
【０００５】
【従来の技術】
インタレース表示に、特開平９−１６０５２５号公報に開示された３電極面放電型ＰＤＰが用いられている。このＰＤＰでは、直線帯状の隔壁で区画された全ての列と跨がるように、画面の表示ライン数Ｎに１を加えた本数の表示電極が等間隔に配列されている。（Ｎ＋１）本の表示電極のうち、互いに隣接する２本の表示電極が面放電を生じさせるための電極対を構成し、画面における１つの表示ラインを画定する。配列の両端を除く表示電極は、２つの表示ライン（奇数表示ラインおよび偶数表示ライン）に係わり、両端の表示電極は１つの表示ラインに係わる。このように全ての表示電極間隙を放電ギャップとし、１本の表示電極を２つの表示ラインの放電に共用するＰＤＰは、表示ライン毎に１対ずつ表示電極を配列したＰＤＰと比べて、解像度（表示ライン数）がほぼ２倍となり、表示ライン間の非発光領域が無くセルの開口率が大きいという利点をもつ。
【０００６】
一方、特開平９−５０７６８号公報には、３電極面放電型ＰＤＰにおいて、蛇行した帯状の隔壁で放電空間を区画する変形ストライプ隔壁構造を適用することによって、列方向の放電干渉（クロストーク）を防止することが提案されている。各隔壁は、それと隣り合う隔壁とともに、広大部と狭窄部とが交互に並ぶ列空間を形成するように蛇行する。セルが形成される広大部の位置は隣り合う列どうしでずれており、カラー表示のための３色の配置がデルタ配列（Delta Tricolor Arrangement）となっている。このＰＤＰによる従来の画像表示においては、各表示ラインが各列から１個ずつ固定的に選んだセルで構成されていた。
【０００７】
【発明が解決しようとする課題】
従来のデルタ配列のＰＤＰによる画像表示においては、表示ラインピッチが列方向のセル配列ピッチであり、列方向の解像度を高めるにはセル寸法を縮小しなければならないという問題があった。
【０００８】
本発明は、表示ラインを構成するセルがジグザクに並ぶ表示面において、表示ラインピッチが列方向のセル配列ピッチより小さい高精細表示の実現を目的としている。
【０００９】
【課題を解決するための手段】
請求項１の発明の画像表示方法は、複数のセル列からなる表示面を有し、各セル列においてセルが等間隔に並びかつセルの発色が同一であり、かつ同一発色のセル列の集合における隣り合うセル列どうしの間で列方向のセル位置がセル配列ピッチの１／２ずれたセル配列構成の表示デバイスを用い、隣り合う同一発色のセル列どうしにおける、前記列方向と直交する表示ラインを構成するセルの組み合わせをフィールド毎に入れ換えて、インタレース表示を行い、表示対象である入力画像の画素配列に相当するセル配列をもつ仮想表示面と前記表示面とのセル位置関係に応じて、前記入力画像の各画素の輝度値を当該画素に対応したセルに分配することにより、前記表示面の各セルの輝度を決定するものである。
【００１１】
請求項２の発明の表示装置は、複数のセル列からなる表示面を有し、各セル列においてセルが等間隔に並びかつセルの発色が同一であり、かつ同一発色のセル列の集合における隣り合うセル列どうしの間で列方向のセル位置がセル配列ピッチの１／２ずれたセル配列構成の表示デバイスと、隣り合う同一発色のセル列どうしにおける、前記列方向と直交する表示ラインを構成するセルの組み合わせをフィールド毎に入れ換えて、インタレース表示を行うための駆動回路とを備え、前記駆動回路が、表示対象である入力画像の画素配列に相当するセル配列をもつ仮想表示面と前記表示面とのセル位置関係に応じて、前記入力画像の各画素の輝度値を当該画素に対応したセルに分配することにより、前記表示面の各セルの輝度を決定するものである。
【００１４】
請求項３の発明の表示装置において、前記表示面内の全てのセルの発色が同一である。
請求項４の発明の表示装置において、前記表示面は発色の異なる３種のセル列からなり、その色配列は３色が一定順序で繰り返し並ぶパターンである。
【００１５】
請求項５の発明の表示装置においては、表示対象としてインタレース画像が入力され、前記表示ラインの方向は当該インタレース画像の走査線方向である。
請求項６の発明の表示装置は、表示対象としてノンインタレース画像が入力され、当該ノンインタレース画像をインタレース画像に変換して表示するものである。
【００１６】
請求項７の発明の表示装置は、ノンインタレース画像データからインタレース画像の各画素の階調データを生成する。
請求項８の発明の表示装置において、前記表示デバイスはプラズマディスプレイパネルである。
【００１７】
請求項９の発明の表示装置において、前記表示デバイスは、放電空間をセル列毎に区画する隔壁を有し、各セル列において放電空間が表示面の全長にわたって連続し、かつ広大部と狭窄部とが交互に並ぶようにセルどうしの境界位置で狭まった内部構造をもつプラズマディスプレイパネルである。
【００１８】
請求項１０の発明の表示装置において、前記表示デバイスは、全てのセル列に跨がるように配置され、各フィールドにおいて各セル列中の１個のセルを選択する複数のスキャン電極を有する。
【００１９】
【発明の実施の形態】
〔表示装置の構成〕
図１は本発明に係る表示装置の構成図である。表示装置１００は、３電極面放電型のＰＤＰ１と、縦横に並ぶセルを選択的に発光させるためのドライブユニット７０とから構成されており、壁掛け式テレビジョン受像機、コンピュータシステムのモニターなどとして利用される。
【００２０】
ＰＤＰ１では、表示電極Ｘおよび表示電極Ｙは表示ライン方向（ここでは水平方向）に延びる。表示電極Ｙはアドレッシングに際してスキャン電極として用いられる。アドレス電極Ａは列方向（垂直方向）に延びている。
【００２１】
ドライブユニット７０は、駆動制御を担う制御回路７１、電源回路７３、Ｘドライバ７４、Ｙドライバ７７、およびアドレスドライバ８０を有している。ドライブユニット７０にはＴＶチューナ、コンピュータなどの外部装置からＲ，Ｇ，Ｂの３色の輝度レベルを示す多値画像データであるフレームデータＤｆが、各種の同期信号とともに入力される。制御回路７１は、フレームデータＤｆを一時的に記憶するフレームメモリ７１１および駆動電圧の制御データを記憶する波形メモリ７１２を備えている。広く知られているように、ＰＤＰによる表示では、２値の点灯制御によって階調再現を行うために、入力画像である時系列のフレームまたはそれを構成するフィールド（入力がインタレース形式の場合）を所定数のサブフィールドに分割する。各サブフィールドに割り当てるサブフィールド期間は、表示面の帯電分布を一様化する準備期間、表示内容に応じた帯電分布を形成するアドレス期間、および階調レベルに応じた輝度を確保するために表示放電を起こすサステイン期間からなる。準備期間では、例えばランプパルスの印加によって壁電圧を所望値に調整する。アドレス期間では、表示電極Ｙにスキャンパルスを印加して表示ラインの選択を行い、それと同期してアドレス電極Ａの電位を２値制御することによってアドレッシングを行う。サステイン期間においては、表示電極Ｙと表示電極Ｘとに交互に維持パルスを印加する。維持パルスの波高値は表示電極間の放電開始電圧より低いので、壁電圧が重畳しなければ面放電は生じない。アドレス期間に壁電荷が形成された点灯セルのみで、維持パルスの印加毎に表示放電としての面放電が生じる。
【００２２】
フレームデータＤｆは、フレームメモリ７１１に一旦格納された後、階調表示のためのサブフィールドデータＤｓｆに変換されてアドレスドライバ８０へ転送される。サブフィールドデータＤｓｆはｑ個のサブフィールドを表すｑビットの表示データであって（１サブピクセル当たり１ビットの表示データがｑ画面分集まったものとも言える）、サブフィールドは２値画像である。サブフィールドデータＤｓｆの各ビットの値は、該当する１つのサブフィールドにおけるサブピクセルの発光の要否、厳密にはアドレス放電の要否を示す。
【００２３】
Ｘドライバ７４は、全ての表示電極Ｘの電位を一括に制御する。Ｙドライバ７７は、アドレッシングのためのスキャン回路７８と点灯維持のための共通ドライバ７９とからなる。スキャン回路７８は表示ライン選択のためのスキャンパルス印加手段である。アドレスドライバ８０は、サブフィールドデータＤｓｆに基づいて、計Ｍ本のアドレス電極Ａの電位を制御する。これらドライバには電源回路７３から図示しない配線導体を介して所定の電力が供給される。
【００２４】
〔表示面の構成〕
図２は本発明に係るＰＤＰのセル構造を示す図、図３はセル配列構造を示す平面図である。図２では内部構造を示すために一対の基板構体を分離させた状態が描かれている。図３においては個別の電位制御が可能な表示電極Ｙについて、参照符号“Ｙ”に配列順を表す添字を付してある。
【００２５】
ＰＤＰ１は一対の基板構体（基板上に放電セルの構成要素を設けた構造体）１０，２０からなる。表示電極Ｘ，Ｙは、前面側のガラス基板１１の内面に配列されており、それぞれが面放電ギャップを形成する透明導電膜４１と表示面ＥＳの水平方向の全長にわたって延びる金属膜（バス電極）４２とからなる。表示電極Ｘ，Ｙを被覆するように誘電体層１７が設けられ、誘電体層１７の表面には保護膜１８としてマグネシア（ＭｇＯ）が被着されている。アドレス電極Ａは、背面側のガラス基板２１の内面に配列されており、誘電体層２４によって被覆されている。誘電体層２４の上には、高さ１５０μｍ程度の蛇行した帯状の隔壁２９が配列され、これらの隔壁２９によって放電空間が列毎に区画されている。放電空間のうちの各列に対応した列空間３１は全ての表示ラインに跨がって連続している。隔壁２９の側面を含めて背面側の内面を被覆するように、カラー表示のためのＲ，Ｇ，Ｂの３色の蛍光体層２８Ｒ，２８Ｇ，２８Ｂが設けられている。図中の斜体アルファベットＲ，Ｇ，Ｂは蛍光体の発光色を示す（以下の図においても同様）。色配列はＲ（赤）−Ｂ（青）−Ｇ（緑）のパターンの繰り返しである。蛍光体層２８Ｒ，２８Ｇ，２８Ｂは放電ガスが放つ紫外線によって局部的に励起されて発光する。
【００２６】
図３が示すように、隣り合う隔壁どうしは、広大部と狭窄部とが交互に並ぶ列空間３１を形成する。隣り合う列どうしでは広大部の列方向位置が列方向セルピッチの半分だけずれている。表示素子であるセルは各広大部に１個ずつ形成されるが、図では代表として１ライン分のセル５１，５２，５３を鎖線の円で示してある。表示ラインは水平方向の最小幅の直線を表示するときに点灯させるべきセルの集合である。表示においては、３列分のセル５１，５２，５３によって入力画像の画素（ピクセル）の色再現が行われる。
【００２７】
〔画像表示方法〕
【００２８】
【実施例１】
図４は１つの表示ラインにおける同一発光色のセルの配列位置関係を示す図、図５は本発明に係る表示ラインの組を示す図である。
【００２９】
表示面セル配列に注目すると、隣り合う列どうしで列方向のセル位置がずれる性質を利用することにより、列方向の解像度の増大が可能であることが分かる。セルの組み合わせを変更することによって、互いに半ピッチずれた表示ラインを構成することができるからである。図５のように、セルＡとセルＢとで構成される表示ライン１と、セルＡとセルＣとで構成される表示ライン２の位置は半ピッチずれる。
【００３０】
したがって、例えば偶数フィールドでは表示ライン１の構成をとり、奇数フィールドでは表示ライン２の構成をとれば、フィールド毎に交互に表示ラインが半ピッチずれることになり、スキャン電極数の２倍の表示ライン数をもつ画像情報のインタレース表示が可能となる。
【００３１】
以下、インタレース画像の情報とセルとの対応の具体例を説明する。
ある色のセルの階調レベルをＣn,m とする。ここでｎは垂直方向の位置、ｍは水平方向の位置を表し、図６，７のように定義されるものとする。ここで注意すべきことは, 色によって位置に関する番号付けが異なることである。水平方向が偶数番目のセルと奇数番目のセルでは、垂直方向の位置が垂直方向のセルピッチ（本例でのスキャン電極のピッチ）の１／２だけずれている。そして、注目している色のセルに対応したインタレースの画像信号をＴn,m とする。偶数フィールドの信号はＴ2n,mであり、奇数フィールドの信号はＴ2n+1,mである。
【００３２】
偶数フィールドに対しては垂直位置が２ｎと２ｎ＋１のセルを同一の表示ライン（水平ライン）に対応させ、奇数フィールドに対しては垂直位置が２ｎと２ｎ−１のセルを同一の表示ラインに対応させる。階調レベルと信号との関係は、発光色Ｒ，Ｂに関しては、
【００３３】
【数１】
0004158874.tif 000002
【００３４】
となり、発光色Ｇにしては、
【００３５】
【数２】
0004158874.tif 000003
【００３６】
となる。
今、ｎ番目のスキャン電極でアドレス可能なセルの垂直位置を２ｎおよび２ｎ＋１とすると、偶数フィールドに関しては画像信号の１ラインがそのまま1 つのスキャン電極に対応するので、画像信号の順番通りにアドレスデータ（サブフィールドデータ）を生成すればよい。しかし、奇数フィールドに関しては、画像信号の１ラインが２本のスキャン電極に跨がるので、水平位置の偶奇に応じて垂直方向に１ラインずれた画像信号のデータに基づいて、１つのスキャン電極に対応するアドレスデータを生成する。ｎ番目のスキャン電極に対応するセルの画像データをＳn,m とすると発光色Ｒ，Ｂのセルに関しては、
【００３７】
【数３】
0004158874.tif 000004
【００３８】
となり、発光色Ｇのセルに関しては、
【００３９】
【数４】
0004158874.tif 000005
【００４０】
となる。
【００４１】
【実施例２】
本発明の適用によって、スキャン電極数の２倍の表示ライン数をもつインタレースの画像情報を表示することができる。適用に際して、必ずしも画像情報の表示ライン数とスキャン電極数とが一致する必要はない。適当なフォーマット変換を行えば、スキャン電極数以上の表示ライン数をもつノンインタレース（プログレッシブ）の画像情報の表示が可能である。次に、ノンインタレースの画像情報からインタレースの画像情報への変換例を示す。
【００４２】
ノンインタレースの画像情報をＰn,m とする。画像情報の垂直方向のピッチをＶp とし, 水平方向のピッチをＨp とする。また、ＰＤＰ１のスキャン電極のピッチの１／２をＶd 、水平方向のピッチをＨd とする。
【００４３】
画像情報がアナログ信号である場合は，水平方向に関しては，任意のピッチで画像情報を得ることができる。以下はデジタル信号の場合で水平方向の画像情報の位置が定められている場合である。変換則の説明において、画素のインデックスは垂直方向および水平方向の双方共に０から始まるものとする。インデックス０の画素の端を座標原点にとる。
【００４４】
ここでは水平方向の変換を考える。表示面上でｍ番目の画素の占める空間位置はｍＨd から（ｍ＋１）Ｈd である。この範囲に入る画像情報の画素の平均値が表示される値である。この範囲に画素領域の全部が入らない画素については比例配分でその値を算入する。水平方向のフォーマット変換だけを行った画像情報をＰ’n,m とする。変換則は以下のようになる。
【００４５】
【数５】
0004158874.tif 000006
【００４６】
（１０）式中の［ｘ］はｘを越えない最大整数を表す。また、（９）式中の和については、β−１＜αのときは０とする。
垂直方向のフォーマット変換も同様であり，変換則は以下のようになる。
【００４７】
【数６】
0004158874.tif 000007
【００４８】
（１１）式中の和については、δ−１＜γのときは０とする。
（１１）式で得られた画像情報Ｔn,m を用い、（１）式〜（４）式に従ってインタレース表示を行う。
【００４９】
データ変換手段としては、入力される画像データＰn,m から直接にセルのデータＣn,m を生成するものに限らない。画像データＰn,m からインタレース信号Ｔn,m を生成する手段と、インタレース信号からデータＣn,m を生成する手段とを分離することもできる。このように分離することにより、インタレース信号を生成する手段の変更だけで、様々な信号に対応することが可能となる。
【００５０】
【実施例３】
実施例２では、一般式で表される任意の画像信号からインタレース信号へ変換する方法について述べた。通常、信号の変換は、画素ピッチが簡単な整数比で表されるフォーマット間で行われる。この実施例３では画素ピッチが整数比で表される場合の変換則について述べる。
【００５１】
次の関係があるとする。
【００５２】
【数７】
0004158874.tif 000008
【００５３】
２つのフォーマット間の画素の位置関係は，水平方向についてはχHpＨp の周期で、垂直方向についてはχVpＶp の周期で一致する。従って、変換則もこの周期内で考えればよい。
【００５４】
この周期境界には図８（ａ）のようにセルの端に取る場合［ＴｙｐｅＡ］と、図８（ｂ）のようにセルの中央に取る場合［ＴｙｐｅＢ］とがあるので、これらの組み合わせが異なる４通りの変換則が考えられる。しかし、［ＴｙｐｅＡ］から［ＴｙｐｅＡ］への変換以外では、２つのフォーマットで画像エリアの端が完全に一致しないので、変換に際して端の部分で特別な処理をしなくてはならず、余計な手間がかかる。したがって、［ＴｙｐｅＡ］から［ＴｙｐｅＡ］への変換が実用的である。この場合の変換則は実施例２と等しい。
【００５５】
現時点の情勢における実用上の最も重要な変換は、デジタルＴＶの規格である１２８０×７２０のノンインタレース信号から１９２０×１０８０のインタレース信号への変換である。画素のピッチは３対２になっている。変換則を具体的に書き下すと、
【００５６】
【数８】
0004158874.tif 000009
【００５７】
となる。
したがって、５４０本のスキャン電極をもてば、１０８０ラインのインタレース画像および７２０ラインのノンインタレース画像の表示が可能となる。
【００５８】
【実施例４】
スキャン電極数と同数の表示ラインのノンインタレース画像を表示する場合、表示ラインを構成するセルの組み合わせを固定しておくと、デルタ配列特有の表示ラインの凹凸が目立ってしまう。この問題を回避するには、ノンインタレース画像をいったんライン数がスキャン電極数の２倍のインタレース画像に変換し、インタレース表示をすればよい。
【００５９】
ノンインタレースの画像情報をＰn,m とする。垂直方向のピッチはスキャン電極のピッチと同じである。この画像情報をライン数が２倍のインタレース画像情報Ｔn,m に変換する。
【００６０】
【数９】
0004158874.tif 000010
【００６１】
である。この場合、発光色Ｒ，Ｇ，Ｂに係わらず全てのセルにおいて、
【００６２】
【数１０】
0004158874.tif 000011
【００６３】
となる。
【００６４】
【実施例５】
デルタ配列特有の表示ラインの凹凸を目立たなくする方法としては、表示面のセル位置を考慮して、画像データの画素の輝度値を複数のセルに分配する方法もある。
【００６５】
入力画像（画像信号）の水平ライン数がスキャン電極数と同数の場合には、次のように各セルの輝度を決定する。
上述の実施例１〜４と同様に、ある色のセルの階調レベルをＣn,m とする。ｎは垂直方向の位置、ｍは水平方向の位置を表し、図６，７のように定義されるものとする。注目している色のセルに対応した画像信号をＴn,m とする。
【００６６】
図８を参照して、画像信号の水平ラインの垂直位置については、対称性を踏まえると、セルと同じ位置である［ＴｙｐｅＡ］と、セルとセルとの中間位置である［ＴｙｐｅＢ］とが考えられる。
【００６７】
［ＴｙｐｅＡ］におけるセルの表示輝度と画像データの関係は、
【００６８】
【数１１】
0004158874.tif 000012
【００６９】
となる。［ＴｙｐｅＢ］の場合には、
【００７０】
【数１２】
0004158874.tif 000013
【００７１】
となる。
なお、ｎ番目のスキャン電極で指定できるセルの垂直位置を２ｎ、２ｎ＋１とすると、スキャン電極に対応するセルの画像データＳn,m と階調レベルＣn,m との関係は次のようになる。
【００７２】
【数１３】
0004158874.tif 000014
【００７３】
以上の対応関係に従って表示を行うことにより、画像データの位置情報に忠実な表示が可能となり、水平ラインの表示品位が高まる。
【００７４】
【実施例６】
実施例５において、入力画像の水平ラインの垂直位置を、スキャン電極ピッチの１／２だけずらしてもよい。これを例えば［ＴｙｐｅＡ］に適用すれば図９のようになる。垂直位置をずらした場合における画像信号とセルの表示輝度との対応関係は次のとおりである。
［ＴｙｐｅＡ］の場合は、
【００７５】
【数１４】
0004158874.tif 000015
【００７６】
となり、［ＴｙｐｅＢ］の場合は、
【００７７】
【数１５】
0004158874.tif 000016
【００７８】
となる。
（１９）式〜（２２）式の対応関係で表示した場合と、（２５）式〜（２８）式の対応関係で表示した場合とでは、画像はスキャン電極ピッチの１／２ずれることになる。したがって、２種類の対応関係をそれぞれ奇数フィールドと偶数フィールドとに割り当てれば、スキャン電極数の２倍の水平ラインをもつ画像情報のインタレース表示が可能である。
【００７９】
インタレースの画像情報をＴ’n,m とし、Ｔ’2n,mを偶数フィールドの情報とし、Ｔ’2n,mを奇数フィールドの情報とする。画像信号とセルの表示輝度との対応関係は次のとおりである。
［ＴｙｐｅＡ］偶数フィールドの場合、
【００８０】
【数１６】
0004158874.tif 000017
【００８１】
［ＴｙｐｅＡ］奇数フィールドの場合、
【００８２】
【数１７】
0004158874.tif 000018
【００８３】
［ＴｙｐｅＢ］偶数フィールドの場合、
【００８４】
【数１８】
0004158874.tif 000019
【００８５】
［ＴｙｐｅＢ］奇数フィールドの場合、
【００８６】
【数１９】
0004158874.tif 000020
【００８７】
【実施例７】
実施例５，６では画素の情報の分配を垂直方向のみについて行ったが、より精密にするには水平方向についても分配を行うのがよい。
【００８８】
図１０は、ある色の単位表示領域とその表示中心とを示している。図中に黒丸で示された表示中心はセルの中心である。単位表示領域とは、該当セルによって表示されるべき画像の領域である。具体的には、画像上のある位置がそれに最も近い表示中心の属する単位表示領域に含まれるように領域分割がなされる。図中の表示中心を囲む六角形の領域が単位表示領域である。境界線は、その境界線を挟んで向かい合う表示中心を結ぶ線分の中点を通り、その線分に直交する。
【００８９】
一方、情報中心と単位情報領域との関係は図１１のようになる。単位情報領域とは、画像を離散的な画像情報で表現する場合の領域である。通常、四角形で領域を区切る。情報中心は、離散化した情報の位置を表す。画像の単位領域内の情報が情報中心に割り当てられる。
【００９０】
個々の画像情報単位は、単位情報領域の画像の情報を代表するものである。したがって、情報の分配は、注目している単位情報領域に個々の単位表示領域が重なる面積比に基づいて行われるべきである。
【００９１】
単位情報領域と単位表示領域との重なりの型を、［ＴｙｐｅＡ］については図１２（ａ）に、［ＴｙｐｅＢ］については図１２（ｂ）に示す。実線が単位表示領域どうしの境界を示し、点線が単位情報領域どうしの境界を示している。
【００９２】
スキャン電極数と同じ水平ライン数をもつ画像情報を表示する場合において、セルの表示輝度と画像データの関係は以下のようになる。
［ＴｙｐｅＡ］の場合は、
【００９３】
【数２０】
0004158874.tif 000021
【００９４】
［ＴｙｐｅＡ］で半ピッチずれた場合、
【００９５】
【数２１】
0004158874.tif 000022
【００９６】
［ＴｙｐｅＢ］の場合は、
【００９７】
【数２２】
0004158874.tif 000023
【００９８】
［ＴｙｐｅＢ］で半ピッチずれた場合、
【００９９】
【数２３】
0004158874.tif 000024
【０１００】
次に、スキャン電極数の２倍の水平ライン数をもつ画像情報をインタレース表示する場合のセルの表示輝度と画像データとの関係を示す。
［ＴｙｐｅＡ］偶数フィールドの場合、
【０１０１】
【数２４】
0004158874.tif 000025
【０１０２】
［ＴｙｐｅＡ］奇数フィールドの場合、
【０１０３】
【数２５】
0004158874.tif 000026
【０１０４】
［ＴｙｐｅＢ］偶数フィールドの場合、
【０１０５】
【数２６】
0004158874.tif 000027
【０１０６】
［ＴｙｐｅＢ］奇数フィールドの場合、
【０１０７】
【数２７】
0004158874.tif 000028
【０１０８】
以上により、画像の位置情報に関してより忠実な表示が可能となる。なお、各色の単位情報領域と単位表示領域との重なりの面積比で、各セルに画像情報を分配する方法は、画像情報の水平方向のピッチおよび垂直方向のピッチが任意の場合でも適用可能である。また、実施例５，６の場合については、単位表示領域を図１３のように近似した上で、各色の単位情報領域と単位表示領域との重なりの面積比で画像情報を分配したと考えることもできる。
【０１０９】
本発明はセルの配置が同様であれば、ＰＤＰ以外の表示デバイスにも適用できる。カラー表示に限らず、全てのセルの発色が同じデバイスによるモノクロ表示であってもよい。
【０１１０】
【発明の効果】
請求項１乃至請求項１０の発明によれば、表示ラインを構成するセルがジグザクに並ぶ表示面において、表示ラインピッチが列方向のセル配列ピッチより小さい高精細の表示を実現することができるとともに、画像の位置情報をより忠実に再現することができる。
【０１１１】
請求項９または請求項１０の発明によれば、セルの開口率が大きくて輝度が高く、列方向のクロストークが起こりにくくて表示の乱れが少なく、しかも表示ラインピッチが列方向のセル配列ピッチよりも小さい高精細の表示を実現することができる。
【図面の簡単な説明】
【図１】本発明に係る表示装置の構成図である。
【図２】本発明に係るＰＤＰのセル構造を示す図である。
【図３】セル配列構造を示す平面図である。
【図４】１つの表示ラインにおける同一発光色のセルの配列位置関係を示す図である。
【図５】本発明に係る表示ラインの組を示す図である。
【図６】発光色がＲまたはＢのセルに係る番号付けの容量を示す図である。
【図７】発光色がＧのセルに係る番号付けの容量を示す図である。
【図８】入力画像信号とセルとの位置関係を示す図である。
【図９】入力画像信号とセル位置との関係の変更例を示す図である。
【図１０】単位表示領域（セル）とその表示中心とを示す図である。
【図１１】単位情報領域（画素）とその中心位置とを示す図である。
【図１２】単位情報領域と単位表示領域との関係を示す図である。
【図１３】近似単位表示領域と表示中心とを示す図である。
【符号の説明】
ＥＳ  表示面
５１，５２，５３  セル
Ｒ，Ｇ，Ｂ  発光色（発色）
１  ＰＤＰ（表示デバイス）
７０  ドライブユニット（駆動回路）
１００  表示装置。
Ｙ  表示電極（スキャン電極）
【図１】
0004158874.tif 000029
【図２】
0004158874.tif 000030
【図３】
0004158874.tif 000031
【図４】
0004158874.tif 000032
【図６】
0004158874.tif 000033
【図７】
0004158874.tif 000034
【図８】
0004158874.tif 000035
【図９】
0004158874.tif 000036
【図１０】
0004158874.tif 000037
【図１１】
0004158874.tif 000038
【図１２】
0004158874.tif 000039
【図１３】
0004158874.tif 000040
【図５】
0004158874.tif 000041